(57)【要約】【課題】内蔵バッテリの消耗を従来に比べて抑制可能な生体観察システム等を提供する。【解決手段】本発明の生体観察システムは、生体内において生体情報を取得する生体情報取得部と、生体情報を無線により生体外へ伝送する無線伝送部と、生体情報取得部及び無線伝送部の駆動電力を供給する電源部と、外部からの磁界を検知し、検知結果を電気信号として出力する磁界検知部と、電気信号に基づき、電源部から生体情報取得部及び無線伝送部へ供給される駆動電力の供給状態を制御する電力供給制御部と、を具備する生体情報取得装置と、共振により磁界を発生する共振回路と、共振回路を駆動するための駆動電圧を供給する駆動回路と、を具備し、生体情報取得装置の外部に配置される磁界発生部と、を有する。【選択図】図１
2009261462.tif 000002
【特許請求の範囲】
【請求項１】
生体内において生体情報を取得する生体情報取得部と、該生体情報を無線により該生体外へ伝送する無線伝送部と、該生体情報取得部及び該無線伝送部の駆動電力を供給する電源部と、外部からの磁界を検知し、検知結果を電気信号として出力する磁界検知部と、該電気信号に基づき、該電源部から該生体情報取得部及び該無線伝送部へ供給される駆動電力の供給状態を制御する電力供給制御部と、を具備する生体情報取得装置と、
共振により磁界を発生する共振回路と、該共振回路を駆動するための駆動電圧を供給する駆動回路と、を具備し、前記生体情報取得装置の外部に配置される磁界発生部と、
を有することを特徴とする生体観察システム。
【請求項２】
前記駆動回路は、所定の周波数を具備する矩形波状の電圧を前記駆動電圧として前記共振回路へ供給することを特徴する請求項１に記載の生体観察システム。
【請求項３】
前記共振回路の共振周波数と、前記所定の周波数とが一致することを特徴とする請求項２に記載の生体観察システム。
【請求項４】
前記磁界検知部は、前記所定の周波数と一致する共振周波数により、前記磁界発生部から発せられた磁界を検知可能な回路を具備することを特徴とする請求項２または請求項３に記載の生体観察システム。
【請求項５】
前記駆動回路は、ステップ状の電圧を前記駆動電圧として前記共振回路へ供給することを特徴する請求項１に記載の生体観察システム。
【請求項６】
前記生体情報取得装置は、カプセル型内視鏡であることを特徴とする請求項１乃至請求項５のいずれか一に記載の生体観察システム。
【請求項７】
前記請求項１乃至請求項６のいずれか一に記載の生体観察システムを駆動するための方法において、前記磁界発生部から前記磁界が発せられる度に、前記生体情報取得装置の電源状態がオンまたはオフに切り替えられることを特徴とする生体観察システムの駆動方法。
【請求項８】
前記生体情報取得装置は、カプセル型内視鏡であることを特徴とする前記請求項７に記載の生体観察システムの駆動方法。
【発明の詳細な説明】
【技術分野】
【０００１】
本発明は、生体観察システム及び生体観察システムの駆動方法に関し、特に、電池等からなる電源部を具備した生体観察システム及び生体観察システムの駆動方法に関するものである。
【背景技術】
【０００２】
内視鏡は、医療分野等において従来広く用いられている。特に、医療分野における内視鏡は、生体内の観察等の用途において主に用いられている。そして、前述した内視鏡の種類の１つとして、被検者が嚥下することにより体腔内に配置され、蠕動運動に伴って該体腔内を移動しつつ被写体の像を撮像し、撮像した該被写体の像を撮像信号として外部に無線伝送可能なカプセル型内視鏡が近年提案されている。
【０００３】
前述したカプセル型内視鏡と略同様の機能を有する装置としては、例えば、特許文献１に提案されているものがある。
【０００４】
特許文献１には、磁界中に置かれた状態において接点が開くリードスイッチを非接触型の電源スイッチとして用いたカプセル内視鏡の構成が記載されている。そして、特許文献１に記載のカプセル内視鏡は、前記リードスイッチの作用により、例えば、磁石を備えた梱包箱または収納ケースに収納されている場合には、前記リードスイッチの接点が開くことに伴って電源がオフし、かつ、該梱包箱または該収納ケースから取り出された場合には、前記リードスイッチの接点が閉じることに伴って電源がオンする（バッテリーから電源が供給される）ように構成されている。
【特許文献１】特開２００１−２２４５５３号公報
【発明の開示】
【発明が解決しようとする課題】
【０００５】
しかし、特許文献１のカプセル内視鏡は、磁石を備えた梱包箱または収納ケースから取り出すとともに電源がオンされる構成であるため、カプセル内視鏡を生体内に配置する事前の段階において内蔵バッテリの消耗が始まってしまう。その結果、特許文献１のカプセル内視鏡は、生体内の所望の部位に到達する以前に、内蔵バッテリの残量が該所望の部位の撮像が不可能な程度に低下してしまうことにより、該所望の部位の観察を行うことができない場合がある、という課題を有している。そして、このような場合においては、カプセル内視鏡による観察が中断されてしまうことにより、再度の観察の必要が生じてしまう。
【０００６】
また、一旦電源がオンされた後において特許文献１のカプセル内視鏡の電源を再度オフするには、リードスイッチの向きに合った所定の強さ以上の磁界を、永久磁石等を用いつつ該カプセル内視鏡に対して印加する必要がある。すなわち、特許文献１のカプセル内視鏡は、一旦電源がオンされた後、再度電源をオフする場合に煩雑な操作が必要となってしまう、という課題を有している。
【０００７】
本発明は、前述した事情に鑑みてなされたものであり、電源のオンオフの切り替えを容易に行うことが可能であるため、内蔵バッテリの消耗を従来に比べて容易に制御可能な生体観察システム及び生体観察システムの駆動方法を提供することを目的としている。
【課題を解決するための手段】
【０００８】
本発明における生体観察システムは、生体内において生体情報を取得する生体情報取得部と、該生体情報を無線により該生体外へ伝送する無線伝送部と、該生体情報取得部及び該無線伝送部の駆動電力を供給する電源部と、外部からの磁界を検知し、検知結果を電気信号として出力する磁界検知部と、該電気信号に基づき、該電源部から該生体情報取得部及び該無線伝送部へ供給される駆動電力の供給状態を制御する電力供給制御部と、を具備する生体情報取得装置と、共振により磁界を発生する共振回路と、該共振回路を駆動するための駆動電圧を供給する駆動回路と、を具備し、前記生体情報取得装置の外部に配置される磁界発生部と、を有することを特徴とする。
【０００９】
本発明における生体観察システムの駆動方法は、生体内において生体情報を取得する生体情報取得部と、該生体情報を無線により該生体外へ伝送する無線伝送部と、該生体情報取得部及び該無線伝送部の駆動電力を供給する電源部と、外部からの磁界を検知し、検知結果を電気信号として出力する磁界検知部と、該電気信号に基づき、該電源部から該生体情報取得部及び該無線伝送部へ供給される駆動電力の供給状態を制御する電力供給制御部と、を具備する生体情報取得装置と、共振により磁界を発生する共振回路と、該共振回路を駆動するための駆動電圧を供給する駆動回路と、を具備し、前記生体情報取得装置の外部に配置される磁界発生部と、を有する生体観察システムを駆動するための方法において、前記磁界発生部から前記磁界が発せられる度に、前記生体情報取得装置の電源状態がオンまたはオフに切り替えられることを特徴とする。
【発明の効果】
【００１０】
本発明における生体観察システム及び生体観察システムの駆動方法によると、電源のオンオフの切り替えを容易に行うことが可能であるため、内蔵バッテリの消耗を従来に比べて抑制可能である。
【発明を実施するための最良の形態】
【００１１】
以下、図面を参照して本発明の実施形態を説明する。
【００１２】
（第１の実施形態）
図１から図５は、本発明の第１の実施形態に係るものである。図１は、本発明の第１の実施形態における生体観察システムの要部の構成を示す図である。図２は、本発明の第１の実施形態における磁界発生部の具体的な構成の一例を示す図である。図３は、本発明の第１の実施形態における電力供給部及び磁界検知部の具体的な構成の一例を示す図である。図４は、本発明の第１の実施形態における磁界発生部の動作状態を示すタイミングチャートである。図５は、本発明の第１の実施形態における電力供給部の動作状態と、カプセル型内視鏡の電源状態との相関を示すタイミングチャートである。
【００１３】
生体観察システム１０１は、図１に示すように、生体内に配置可能な寸法及び形状等を有して構成されるカプセル型内視鏡１と、カプセル型内視鏡１の外部において磁界を発する磁界発生部７と、を具備している。
【００１４】
カプセル型内視鏡１は、図１に示すように、生体内の被写体を照明するための照明光を発する照明部２と、照明部２により照明された被写体を撮像し、撮像信号として出力する撮像部３と、撮像部３から出力される撮像信号を無線により生体外へ伝送する無線伝送部４と、照明部２、撮像部３及び無線伝送部４の各部の駆動に要する駆動電力を供給する電力供給部５と、磁界発生部７において発せられた磁界を検知可能な磁界検知部６と、を内部に有している。
【００１５】
すなわち、本実施形態における生体情報取得部は、照明部２及び撮像部３を有して構成されている。
【００１６】
磁界発生部７は、ユーザによる図示しないスイッチ等の操作に応じて、磁界の発生状態をオンまたはオフに切り替えることが可能な構成を有している。
【００１７】
また、磁界発生部７は、図２に示すように、共振回路２０と、共振回路２０を駆動する駆動回路５０と、を有して構成されている。また、共振回路２０は、磁界発生用コイル１８と、共振用コンデンサ１９とを具備している。
【００１８】
なお、磁界発生用コイル１８のインダクタンスがＬ１であり、共振用コンデンサ１９のキャパシタンスがＣ１である場合、共振回路２０における共振周波数ｆｒ１の値は、下記数式（１）により算出される。また、本実施形態の磁界発生部７においては、共振周波数ｆｒ１と、駆動回路５０から供給される駆動電圧の周波数ｆ１とが一致するように、インダクタンスＬ１及びキャパシタンスＣ１の値が夫々設定されているものとする。
【００１９】
2009261462.tif 000003
一方、電力供給部５は、図３に示すように、電池等からなる電源部８と、Ｐチャネル型ＦＥＴ９と、磁界検知部６からの出力信号を２分周する分周回路１５と、を有して構成されている。
【００２０】
Ｐチャネル型ＦＥＴ９は、ドレインが電源部８に接続され、ゲートが分周回路１５の出力端に接続されるとともに、ソースが照明部２、撮像部３及び無線伝送部４に各々接続されている。
【００２１】
なお、電力供給部５は、Ｐチャネル型ＦＥＴ９を用いて構成されるものに限らず、同様なスイッチング機能を有する電子スイッチ等を用いて構成されるものであっても良い。
【００２２】
磁界検知部６は、磁界発生部７において発せられた磁界に応じた電気信号を出力する磁界検知用コイル１１と、磁界検知用コイル１１から出力される該電気信号を整流しつつ出力する整流部４０と、抵抗１４と、共振用コンデンサ１６と、を有して構成されている。
【００２３】
なお、磁界検知用コイル１１は、例えばソレノイド型コイルまたは平面コイル等からなるものであっても良く、カプセル型内視鏡１に配置可能な形状である限りにおいては、如何なる形状を有するものであっても良い。
【００２４】
整流部４０は、入力端が磁界検知用コイル１１の出力端に接続されたダイオード１２と、ダイオード１２から出力される電気信号を平滑化する平滑コンデンサ１３と、を有している。なお、本実施形態における整流部４０は、半波整流を行うものに限らず、全波整流を行うものであっても良い。
【００２５】
抵抗１４は、ダイオード１２の出力端において、平滑コンデンサ１３に対して並列に接続されている。
【００２６】
共振用コンデンサ１６は、ダイオード１２の入力端において、磁界検知用コイル１１に対して並列に接続されている。
【００２７】
なお、磁界検知用コイル１１のインダクタンスがＬ２であり、共振用コンデンサ１６のキャパシタンスがＣ２である場合、磁界検知用コイル１１及び共振用コンデンサ１６からなる共振回路の共振周波数ｆｒ２の値は、下記数式（２）により算出される。また、本実施形態の磁界検知部６においては、共振周波数ｆｒ２と、駆動回路５０から供給される駆動電圧の周波数ｆ１とが一致するように、インダクタンスＬ２及びキャパシタンスＣ２の値が夫々設定されているものとする。
【００２８】
2009261462.tif 000004
ここで、本実施形態における電力供給部５、磁界検知部６及び磁界発生部７の動作について説明を行う。
【００２９】
まず、駆動回路５０は、図４に示すように、時刻ｔ１から時刻ｔ２までの間（期間Ｔ１）において、矩形波状の駆動電圧を周波数ｆ１により連続的に発生する。そして、周波数ｆ１の前記駆動電圧は、磁界発生用コイル１８及び共振用コンデンサ１９に供給される。
【００３０】
本実施形態の磁界発生部７においては、共振周波数ｆｒ１と周波数ｆ１とが一致するように、インダクタンスＬ１及びキャパシタンスＣ１の値が夫々設定されている。これにより、本実施形態の磁界発生部７においては、駆動回路５０の駆動電圧の大きさを設定する場合に、共振回路２０に生じる各寄生素子のうち、抵抗成分のみによるロスを考慮すれば良い。その結果、本実施形態の磁界発生部７によれば、消費電力を低く抑えつつ磁界を発生することができる。
【００３１】
また、駆動回路５０は、図４に示すように、時刻ｔ２から時刻ｔ３までの間（期間Ｔ２）において、駆動電圧の発生を停止する。
【００３２】
そして、駆動回路５０は、前述したような駆動電圧の発生及び停止を時刻ｔ３以降も繰り返し行う。
【００３３】
一方、図４に示すように、時刻ｔ１から時刻ｔ２までの間において、駆動回路５０において発せられた駆動電圧が共振回路２０に供給されることにより、共振周波数ｆｒ１の共振が共振回路２０において発生し、交流のコイル電流が磁界発生用コイル１８に流れる。
【００３４】
これにより、磁界発生用コイル１８は、時刻ｔ１から時刻ｔ２までの間において、前記コイル電流に応じた磁界である、周波数ｆ１の磁界を発生する。なお、磁界発生用コイル１８は、駆動回路５０からの駆動電圧の供給が停止される期間である、時刻ｔ２から時刻ｔ３までの間においては、前述した磁界を発生しない。
【００３５】
そして、共振回路２０の磁界発生用コイル１８は、前述したような周波数ｆ１の磁界の発生及び停止を時刻ｔ３以降も繰り返し行う。
【００３６】
一方、磁界発生部７からの磁界の発生が時刻ｔ１において開始されると、電磁誘導による電位差が磁界検知用コイル１１の両端に発生した後、該電位差に応じた交流の電気信号が整流部４０へ出力される。
【００３７】
そして、磁界検知用コイル１１から出力された交流の電気信号は、整流部４０において整流されることにより、直流の電気信号に変換されつつ分周回路１５の入力端へ出力される。これに伴い、ノードＮ１の電位レベルは、図５に示すように、時刻ｔ１の略直後のタイミングである時刻ｔ１ａにおいて、ロー（以降、Ｌと称する）レベルからハイ（以降、Ｈと称する）レベルへ遷移する。
【００３８】
その後、磁界発生部７からの磁界の発生が時刻ｔ２において停止されると、平滑コンデンサ１３に蓄積されていた電荷が抵抗１４を介して放電される。これに伴い、ノードＮ１の電位レベルは、図５に示すように、ＨレベルからＬレベルへ遷移する。
【００３９】
すなわち、本実施形態の磁界検知部６の出力端側のノードＮ１においては、磁界発生部７から磁界が発せられている期間Ｔ１に電位レベルがＬレベルからＨレベルへ遷移し、また、磁界発生部７から磁界が発せられていない期間Ｔ２に電位レベルがＨレベルからＬレベルへ遷移する。
【００４０】
また、分周回路１５の入力端には、ノードＮ１の電位レベルを具備する出力信号が入力される。これにより、分周回路１５の出力端側のノードＮ２の電位レベルは、時刻ｔ１ａにおいて、ＨレベルからＬレベルへ遷移する。
【００４１】
そして、ノードＮ２の電位レベルがＨレベルからＬレベルへ遷移することに伴い、Ｐチャネル型ＦＥＴ９がオフ状態からオン状態へ遷移し、電源部８から照明部２、撮像部３及び無線伝送部４の各部への駆動電力の供給が開始される。すなわち、図５に示すように、時刻ｔ１ａにおいて、カプセル型内視鏡１の電源がオンされる。
【００４２】
図５に示すように、ノードＮ２の電位レベルは、ノードＮ１の電位がＨレベルからＬレベルへ遷移した場合においても、Ｌレベルを維持する。そのため、ノードＮ２の電位レベルは、ノードＮ１の電位が再度ＬレベルからＨレベルへ遷移するタイミングであり、かつ、時刻ｔ３の略直後のタイミングである、時刻ｔ３ａに達するまではＬレベルのままとなる。これにより、カプセル型内視鏡１は、図５に示すように、時刻ｔ１ａから時刻ｔ３ａまでの間において、オン状態を維持する。
【００４３】
また、図５に示すように、ノードＮ２の電位レベルは、時刻ｔ３ａにおいて、ＬレベルからＨレベルへ遷移する。これに伴い、Ｐチャネル型ＦＥＴ９がオン状態からオフ状態へ遷移し、電源部８から照明部２、撮像部３及び無線伝送部４の各部への駆動電力の供給が停止される。これにより、図５に示すように、時刻ｔ３ａにおいて、カプセル型内視鏡１の電源がオフされる。
【００４４】
すなわち、本実施形態のカプセル型内視鏡１は、磁界発生部７における磁界の発生状態がオフからオンに切り替えられる毎に、電源のオンオフの切り替えが行われるような構成及び作用を有している。
【００４５】
そのため、本実施形態の生体観察システム１０１によれば、ユーザの所望のタイミングにおいて、カプセル型内視鏡１の電源のオンオフの切り替えを容易に行うことができ、その結果、カプセル型内視鏡１の電源部８の消耗を従来に比べて容易に制御可能である。
【００４６】
また、本実施形態の生体観察システム１０１によれば、磁界発生部７から発せられる磁界の周波数ｆ１と、磁界検知用コイル１１及び共振用コンデンサ１６からなる共振回路の共振周波数ｆｒ２とが一致するように構成されている。そのため、本実施形態の生体観察システム１０１によれば、磁界検知部６において、磁界発生部７から発せられる磁界の検知感度を向上させることができるとともに、意図しない外乱磁界の検知感度を低下させることができる。その結果、本実施形態の生体観察システム１０１によれば、カプセル型内視鏡１の電源のオンオフの切り替えを安定的かつ確実に行うことができる。
【００４７】
さらに、本実施形態の生体観察システム１０１によれば、磁界発生部７において磁界を発生する際に要する駆動電圧を低減することができる。
【００４８】
なお、前述した、カプセル型内視鏡１の電源のオンオフの切り替えは、カプセル型内視鏡１が生体内に配置されている場合に限らず、カプセル型内視鏡１が生体外に配置されている場合においても同様に行うことができる。
【００４９】
（第２の実施形態）
図６及び図７は、本発明の第２の実施形態に係るものである。図６は、本発明の第２の実施形態における磁界発生部の動作状態を示すタイミングチャートである。図７は、本発明の第２の実施形態における電力供給部の動作状態と、カプセル型内視鏡の電源状態との相関を示すタイミングチャートである。
【００５０】
なお、本実施形態における生体観察システムは、第１の実施形態における生体観察システム１０１と略同様の構成を有している。そのため、本実施形態においては、第１の実施形態における生体観察システム１０１と異なる動作を行う部分について主に説明を行うものとする。
【００５１】
ここで、本実施形態における電力供給部５、磁界検知部６及び磁界発生部７の動作について説明を行う。
【００５２】
まず、駆動回路５０は、図６に示すように、時刻ｔ１１において、ステップ状の駆動電圧を発生する。そして、ステップ状の前記駆動電圧は、磁界発生用コイル１８及び共振用コンデンサ１９に供給される。
【００５３】
一方、駆動回路５０において発せられた駆動電圧が共振回路２０に供給されることにより、共振周波数ｆｒ１の共振が共振回路２０において発生し、交流のコイル電流が磁界発生用コイル１８に流れ始める。
【００５４】
磁界発生用コイル１８に流れる交流のコイル電流は、図６に示すように、共振回路２０に寄生する抵抗成分によるロスにより次第に減衰してゆき、時刻ｔ１２までには０となる。すなわち、前記コイル電流は、時刻ｔ１１から時刻ｔ１２までの期間に比べて短い期間である、駆動回路５０から駆動電圧が供給されたタイミング以降の所定の期間においてのみ磁界発生用コイル１８に流れる。
【００５５】
また、磁界発生用コイル１８は、図６に示すように、自身に流れる交流のコイル電流に応じた磁界を発生する。すなわち、磁界発生用コイル１８において発せられる磁界は、自身に流れるコイル電流の減衰に伴って次第に減衰してゆき、時刻ｔ１２までには０となる。
【００５６】
一方、駆動回路５０は、図６に示すように、磁界発生用コイル１８に流れるコイル電流が０となった以降の時刻ｔ１２において、共振回路２０に供給する駆動電圧を、共振回路２０の共振周波数ｆｒ１に比べて十分に低い周波数により徐々に減少させてゆく。これにより、時刻ｔ１２から駆動電圧が減少しきるまでの間において、磁界発生用コイル１８における磁界の発生を防ぐことができる。
【００５７】
本実施形態の磁界発生部７は、以上に述べたような動作を行うことにより、電力を消費する期間を、駆動回路５０からステップ状の駆動電圧を発生させる期間に限定することができる。そのため、本実施形態によれば、磁界発生部７における消費電力を低減することができる。
【００５８】
また、以上に述べたように、本実施形態の駆動回路５０は、ステップ状の駆動電圧を発生する比較的単純な構成を有するものである。そのため、本実施形態によれば、磁界発生部７を比較的簡易に構成することができる。
【００５９】
一方、磁界発生部７からの磁界の発生が時刻ｔ１１において開始されると、電磁誘導による電位差が磁界検知用コイル１１の両端に発生した後、該電位差に応じた交流の電気信号が整流部４０へ出力される。
【００６０】
そして、磁界検知用コイル１１から出力された交流の電気信号は、整流部４０において整流されることにより、直流の電気信号に変換されつつ分周回路１５の入力端へ出力される。これに伴い、ノードＮ１の電位レベルは、図７に示すように、時刻ｔ１１の略直後のタイミングである時刻ｔ１１ａにおいて、ＬレベルからＨレベルへ遷移する。
【００６１】
その後、磁界発生部７からの磁界の減衰が進むと、平滑コンデンサ１３に蓄積されていた電荷が抵抗１４を介して放電される。これに伴い、ノードＮ１の電位レベルは、図７に示すように、ＨレベルからＬレベルへ遷移する。
【００６２】
すなわち、本実施形態の磁界検知部６の出力端側のノードＮ１においては、磁界が磁界発生部７から発せられた略直後に電位レベルがＬレベルからＨレベルへ遷移し、該磁界のレベルが所定のレベル以下に減衰した際に電位レベルがＨレベルからＬレベルへ遷移する。
【００６３】
また、分周回路１５の入力端には、ノードＮ１の電位レベルを具備する出力信号が入力される。これにより、分周回路１５の出力端側のノードＮ２の電位レベルは、時刻ｔ１１ａにおいて、ＨレベルからＬレベルへ遷移する。
【００６４】
そして、ノードＮ２の電位レベルがＨレベルからＬレベルへ遷移することに伴い、Ｐチャネル型ＦＥＴ９がオフ状態からオン状態へ遷移し、電源部８から照明部２、撮像部３及び無線伝送部４の各部への駆動電力の供給が開始される。すなわち、図７に示すように、時刻ｔ１１ａにおいて、カプセル型内視鏡１の電源がオンされる。
【００６５】
図７に示すように、ノードＮ２の電位レベルは、ノードＮ１の電位がＨレベルからＬレベルへ遷移した場合においても、Ｌレベルを維持する。そのため、ノードＮ２の電位レベルは、ノードＮ１の電位が再度ＬレベルからＨレベルへ遷移するタイミングであり、かつ、磁界発生部７から磁界が再度発生される時刻ｔ１３の略直後のタイミングである、時刻ｔ３ａに達するまではＬレベルのままとなる。これにより、カプセル型内視鏡１は、図７に示すように、時刻ｔ１１ａから時刻ｔ１３ａまでの間において、オン状態を維持する。
【００６６】
また、図７に示すように、ノードＮ２の電位レベルは、時刻ｔ１３ａにおいて、ＬレベルからＨレベルへ遷移する。これに伴い、Ｐチャネル型ＦＥＴ９がオン状態からオフ状態へ遷移し、電源部８から照明部２、撮像部３及び無線伝送部４の各部への駆動電力の供給が停止される。すなわち、図７に示すように、時刻ｔ１３ａにおいて、カプセル型内視鏡１の電源がオフされる。
【００６７】
すなわち、本実施形態のカプセル型内視鏡１は、磁界発生部７において磁界の発生状態がオフからオンに切り替えられる毎に、電源のオンオフの切り替えが行われるような構成及び作用を有している。
【００６８】
そのため、本実施形態の生体観察システム１０１によれば、ユーザの所望のタイミングにおいて、カプセル型内視鏡１の電源のオンオフの切り替えを容易に行うことができ、その結果、カプセル型内視鏡１の電源部８の消耗を従来に比べて容易に制御可能である。
【００６９】
さらに、以上に述べたように、本実施形態の生体観察システム１０１によれば、磁界発生部７において消費される電力を低減することができ、また、磁界発生部７を簡易に構成することができる。
【００７０】
なお、前述した、カプセル型内視鏡１の電源のオンオフの切り替えは、カプセル型内視鏡１が生体内に配置されている場合に限らず、カプセル型内視鏡１が生体外に配置されている場合においても同様に行うことができる。
【００７１】
また、以上に述べた各実施形態は、カプセル型内視鏡に対して適用されるものに限らず、例えば、生体内の温度またはｐＨ等の生体情報を取得するための構成を有する、各種生体情報取得装置に対して適用されるものであっても良い。
【００７２】
さらに、以上に述べた各実施形態においては、ノードＮ１の電位の上昇を抑制するためのリミッタ回路を付加するものであっても良い。
【００７３】
本発明は、上述した各実施形態に限定されるものではなく、発明の趣旨を逸脱しない範囲内において種々の変更や応用が可能であることは勿論である。
【図面の簡単な説明】
【００７４】
【図１】本発明の第１の実施形態における生体観察システムの要部の構成を示す図。
【図２】本発明の第１の実施形態における磁界発生部の具体的な構成の一例を示す図。
【図３】本発明の第１の実施形態における電力供給部及び磁界検知部の具体的な構成の一例を示す図。
【図４】本発明の第１の実施形態における磁界発生部の動作状態を示すタイミングチャート。
【図５】本発明の第１の実施形態における電力供給部の動作状態と、カプセル型内視鏡の電源状態との相関を示すタイミングチャート。
【図６】本発明の第２の実施形態における磁界発生部の動作状態を示すタイミングチャート。
【図７】本発明の第２の実施形態における電力供給部の動作状態と、カプセル型内視鏡の電源状態との相関を示すタイミングチャート。
【符号の説明】
【００７５】
１  カプセル型内視鏡
２  照明部
３  撮像部
４  無線伝送部
５  電力供給部
６  磁界検知部
７  磁界発生部
２０  共振回路
５０  駆動回路
１０１  生体観察システム
【図１】
2009261462.tif 000005
【図２】
2009261462.tif 000006
【図３】
2009261462.tif 000007
【図４】
2009261462.tif 000008
【図５】
2009261462.tif 000009
【図６】
2009261462.tif 000010
【図７】
2009261462.tif 000011